(57)【要約】      （修正有）【課題】ＵＳＢ電源を用いた保温機を提供する。【解決手段】矩形状の断熱基布１と、断熱基布に配設されたヒーター線２と、ヒーター線２の両端に接続部を介装して接続した接続コード３と、接続コード３の先端に装着したＵＳＢ電源に接続するためのＵＳＢプラグ４とから成る。断熱基布１は両膝部又は双肩部又は腰部Ｈに当接するための任意の大きさに形成し、断熱基布１の巾方向の中心部に任意巾の無配線部１ａを設け、無配線部１ａの両側に配線密度を任意に向上させた左右の発熱部ブロック２ａ．２ｂを形成し、発熱部ブロック２ａ．２ｂはヒーター線２を延設して接続すると共に、発熱部ブロック２ａ．２ｂを断熱覆い布５で覆った。【選択図】図１
0003179466.tif 000002
【実用新案登録請求の範囲】
【請求項１】
矩形状の断熱基布と、該断熱基布に配設されたヒーター線と、該ヒーター線の両端に夫々接続部を介装して接続した接続コードと、該接続コードの先端に装着したＵＳＢ電源に接続するためのＵＳＢプラグとから成り、前記断熱基布は人間の両膝部又は双肩部又は腰部に当接するための任意の大きさに夫々形成し、前記断熱基布の巾方向の中心部に任意巾の無配線部を設け、該無配線部の両側に夫々配線密度を任意に向上させた左右の発熱部ブロックを夫々に形成し、該夫々の発熱部ブロックはヒーター線を延設して接続すると共に、前記夫々の発熱部ブロックを断熱覆い布で覆ったことを特徴とするＵＳＢ電源を用いた保温器。
【考案の詳細な説明】
【技術分野】
【０００１】
本考案は、ＵＳＢ電源を用いた保温器に関するものであり、更に詳細には、パーソナルコンピュータを使用するオフィスや家庭において、周辺機器の氾濫により商業電源の電源ソケットは殆どが塞がっている場合が多く、特に、冬期において、暖房を必要とする時に好適に使用できるＵＳＢ電源を用いた保温器に関するものである。
【背景技術】
【０００２】
従来、この種のＵＳＢ電源を用いた簡易な電気機器は、既に開示されているが、その具体的な構成は明らかにされて居らず、単なる構想に過ぎないものであった。
【０００３】
例えば、繊維布帛からなるひざ掛けにおいて、少なくとも一箇所にポケットを設け、該ポケット内に金属シートとブラックシリカを含有する遠赤外線放射シートと発熱層を積層した発熱体を挿入することによって、従来にない暖かさと保温性のあるひざ掛けを得えられるもの（特許文献１参照）や、暖房器具本体１に内蔵した電気抵抗加熱体２に接続しているコード３先端に、パソコンＰのＵＳＢ電源Ｑに接続可能なＵＳＢプラグ４を備える。暖房器具本体１は、スリッパ状の足温器、背当て用保温器、手袋状の保温器、膝掛け用保温器のいずれかに形成する。また、電気抵抗加熱体２は、加温および保温用の蓄熱剤５を封入した袋体６内に電気抵抗線７を配設して成るもの（特許文献２参照）や、パーソナルコンピュータ（ＰＣ）本体１に設けられた外部器機端子（ＵＳＢ）２を電源とし、これにパーソナルコンピュータ（ＰＣ）の操作中に必要とする周辺グッズを簡単に接続できるもの（特許文献３参照）が開示されている。
【特許文献１】特開２０１０−５９５７６号公報
【特許文献２】実用新案登録第３１１５５９４号公報
【特許文献３】実用新案登録第３０９７４９４号公報
【考案の開示】
【考案が解決しようとする課題】
【０００４】
然し乍ら、前述の開示されている特許文献１は、ＵＳＢ電源に接続可能なＵＳＢプラグを備えたひざ掛けであるが、ポケットを設けて、金属シートとブラックシリカを含有する遠赤外線放射シートと発熱層から成る発熱体を挿入したものであるが、その構成は明記されて居らず、更に、特許文献２では、電気抵抗加熱体２に接続しているコード３先端にパソコンＰのＵＳＢ電源Ｑに接続可能なＵＳＢプラグ４を備え、膝掛け用保温器に形成する電気抵抗加熱体２は、蓄熱剤５を封入した袋体６内に電気抵抗線７を配設して成るものであるが、その膝掛け用保温器の構成は明確なものではなく、更には、特許文献３では、パーソナルコンピュータ（ＰＣ）本体１に設けられた外部器機端子（ＵＳＢ）２を電源とし、これに周辺グッズを簡単に接続できるものであるが、その構成は不明なものである。
【０００５】
また、ＵＳＢ電源により実現される温度上昇が不十分なことであり、その解決のためにＵＳＢ電源を２個使用する方法はあるが、エネルギーに非効率的で、使用勝手も悪いと言う課題を有している。
【課題を解決するための手段】
【０００６】
本考案は前記課題に鑑み、鋭意研鑽の結果、ＵＳＢ電源一つで効率の良い発熱構造を提供するもので、矩形状の断熱基布と、断熱基布に配設されたヒーター線と、ヒーター線の両端に夫々接続部を介装して接続した接続コードと、接続コードの先端に装着したＵＳＢ電源に接続するためのＵＳＢプラグとから成り、断熱基布は人間の両膝部又は双肩部又は腰部に当接するための任意の大きさに夫々形成し、断熱基布の巾方向の中心部に任意巾の無配線部を設け、無配線部の両側に夫々配線密度を任意に向上させた左右の発熱部ブロックを夫々に形成し、夫々の発熱部ブロックはヒーター線を延設して接続すると共に、夫々の発熱部ブロックを断熱覆い布で覆ったものである。
【０００７】
つまり、発熱部ブロックを２ブロックに分け、夫々の発熱部ブロック間に人間の両膝部又は双肩部又は腰部の夫々の平均的な間隔で無配線部を設け、夫々の発熱部ブロックは配線密度を任意に向上させることにより、効果的な温度上昇を実現させることを可能としたものである。
【考案の効果】
【０００８】
本考案のＵＳＢ電源を用いた保温器は、断熱基布と、ヒーター線と、接続コードと、ＵＳＢ電源に接続するためのＵＳＢプラグとから成り、断熱基布は人間の両膝部又は双肩部又は腰部に当接するための任意の大きさに夫々形成し、断熱基布の巾方向の中心部に任意巾の無配線部を設け、無配線部の両側に夫々配線密度を任意に向上させた左右の発熱部ブロックを夫々に形成し、夫々の発熱部ブロックはヒーター線を延設して接続すると共に、夫々の発熱部ブロックを断熱覆い布で覆ったものであり、特に、冬期等のパーソナルコンピュータの使用時において、暖房を必要とする時に商業電源のコンセントは必要とせず、使用中のパーソナルコンピュータのＵＳＢ電源にＵＳＢプラグを挿入するだけで直ぐに人間の両膝部又は双肩部又は腰部等を暖めることが可能なものであり、更に、人間の各部位に当接させぴったりとフィットするサイズに形成したもので、画期的で実用性の高い有効な考案である。
【考案を実施するための最良の形態】
【０００９】
以下、本考案のＵＳＢ電源を用いた保温器の実施の形態を図面によって具体的に説明すると、図１は本考案のＵＳＢ電源を用いた保温器の実施例の平面説明図であり、図２は本考案のＵＳＢ電源を用いた保温器の実施例でひざ掛けとしての使用状態の説明図である。
【００１０】
本考案は、ＵＳＢ電源を用いた保温器に関するものであり、更に詳細には、パーソナルコンピュータを使用するオフィスや家庭において、周辺機器の氾濫により商業電源の電源ソケットは殆どが塞がっている場合が多く、特に、冬期において、暖房を必要とする時に好適に使用できるＵＳＢ電源を用いた保温器に関するものであり、本考案のＵＳＢ電源を用いた保温器は、矩形状の断熱基布１と、該断熱基布に配設されたヒーター線２と、該ヒーター線２の両端に夫々接続部を介装して接続した接続コード３と、該接続コード３の先端に装着したＵＳＢ電源に接続するためのＵＳＢプラグ４とから成り、前記断熱基布１は人間の両膝部又は双肩部又は腰部Ｈに当接するための任意の大きさに夫々形成し、前記断熱基布１の巾方向の中心部に任意巾の無配線部１ａを設け、該無配線部１ａの両側に夫々配線密度を任意に向上させた左右の発熱部ブロック２ａ．２ｂを夫々に形成し、該夫々の発熱部ブロック２ａ．２ｂはヒーター線２を延設して接続すると共に、前記夫々の発熱部ブロック２ａ．２ｂを断熱覆い布５で覆ったことを特徴とするものである。
【実施例】
【００１１】
即ち、本考案のＵＳＢ電源を用いた保温器は、図１に図示するように、断熱基布１は柔軟性を有した矩形状のものであり、図２のひざ掛けの使用状態の説明図に図示するように、例えば、人間が椅子等に腰掛けた状態で膝の上に載置して用いるものである。
【００１２】
次に、ヒーター線２は断熱基布１に配設されるものであり、直径１ｍｍφ程度のニクロム線等の抵抗発熱線が好適なものであり、断熱基布１の表面に接着剤により接着して配設しても、ポリエチレンフィルム等のラミネートシートで被覆して配設しても、断熱基布１に埋設するようにして配設しても構わないものである。
【００１３】
次いで、接続コード３は、ヒーター線２の両端に夫々接続部を介装して接続している銅線等の電導線で、断熱基布１から外方に延設され他端は後述するＵＳＢ電源に接続するためのＵＳＢプラグ４が接続されるものである。
【００１４】
更に、ＵＳＢプラグ４は、ＵＳＢ電源に接続するためのものであり、接続コード３の先端に装着しているものである。
【００１５】
そして、前記断熱基布１は、人間の両膝部又は双肩部又は腰部Ｈに当接するため大きさに形成しているもので、例えば、ひざ掛けで有れば、巾方向６５０〜７５０ｍｍ×縦方向４００〜５００ｍｍ程度が好適なものである。
【００１６】
次に、無配線部１ａは、断熱基布１の巾方向の中心部に例えば巾が８０〜１００ｍｍで縦方向に帯状に設けているもので、両膝部の人間の足と足との間隔部位に辺り暖房の必要がない部位である。
【００１７】
次いで、発熱部２ａ．２ｂは、無配線部１ａの両側に夫々配線密度を任意に向上させた発熱部ブロック２ａ．２ｂを夫々形成しているもので、実施例では、１０〜１５ｍｍピッチで縦方向に１２０〜１４０ｍｍの４〜５段のつづら折り状、つまり、Ｕ字状に折り返したジグザグ状に配線したもので、夫々の発熱部ブロック２ａ．２ｂは人間の膝の間隔に位置しているものである。
【００１８】
更に、夫々の発熱部ブロック２ａ．２ｂは、夫々のヒーター線２を延設して接続するもので、図１に図示するように、前記無配線部１ａに配線して接続することが最短距離で合理的なものである。
【００１９】
更には、断熱覆い布５は、断熱基布１と同じ材料で形成するもので、夫々の発熱部ブロック２ａ．２ｂを覆ったものである。
【産業上の利用可能性】
【００２０】
本考案は、断熱基布と、ヒーター線と、接続コードと、ＵＳＢ電源に接続するためのＵＳＢプラグとから成り、断熱基布は人間の両膝部又は双肩部又は腰部に当接するための任意の大きさに夫々形成し、断熱基布の巾方向の中心部に任意巾の無配線部を設け、無配線部の両側に夫々配線密度を任意に向上させた左右の発熱部ブロックを夫々に形成し、夫々の発熱部ブロックはヒーター線を延設して接続すると共に、夫々の発熱部ブロックを断熱覆い布で覆ったものであり、特に、冬期等のパーソナルコンピュータの使用時において、暖房を必要とする時に商業電源のコンセントは必要とせず、使用中のパーソナルコンピュータのＵＳＢ電源にＵＳＢプラグを挿入するだけで直ぐに人間の両膝部又は双肩部又は腰部等を暖めることが可能なものであり、更に、人間の各部位に当接させぴったりとフィットするサイズに形成したＵＳＢ電源を用いた保温器を提供するものである。
【図面の簡単な説明】
【００２１】
【図１】図１は本考案のＵＳＢ電源を用いた保温器の実施例の平面説明図である。
【図２】図２は本考案のＵＳＢ電源を用いた保温器の実施例でひざ掛けとしての使用状態の説明図である。
【符号の説明】
【００２２】
１      断熱基布
１ａ    無配線部
２      ヒーター線
２ａ    発熱部
２ｂ    発熱部
３      接続コード
４      ＵＳＢプラグ
５      断熱覆い布
Ｈ      両膝部又は双肩部又は腰部
【図１】
0003179466.tif 000003
【図２】
0003179466.tif 000004